(57)【要約】      （修正有）【課題】クレーンを用いることなく巻上機を容易に持ち上げて運搬できるようにするエレベータ巻上機の運搬用架台を提供する。【解決手段】運搬用架台２０は、巻上機１０に着脱自在に取り付けられる基部２１，２２と、この基部から延設された脚部２３，２４とを備え、巻上機を運搬する運搬手段の支持腕を挿通可能な隙間を巻上機の下方に形成する。これにより、隙間にハンドフォークリフト等の支持腕を挿通できる状態となるから、クレーン等を用いることなく巻上機を持ち上げて運搬することが可能となる。【選択図】図１
2009155072.tif 000002
【特許請求の範囲】
【請求項１】
エレベータの巻上機に取り付けられて前記巻上機の持ち上げおよび運搬を可能とする運搬用架台であって、
前記巻上機に着脱自在に取り付けられる基部と、
前記巻上機を載置する載置面に当接する、前記基部から延設された脚部と、を備え
前記巻上機の底面と前記載置面との間に、前記巻上機を運搬する手段の支持腕を挿通可能な隙間を形成するように構成されていることを特徴とするエレベータ巻上機の運搬用架台。
【請求項２】
前記基部を前記巻上機の底面に取り付けたときに前記巻上機の底面に対し前記隙間を開けて延びる、前記脚部に連設された底部をさらに備えることを特徴とする請求項１に記載したエレベータ巻上機の運搬用架台。
【請求項３】
隣接して配置された運搬用架台同士を連結するための連結部をさらに備えることを特徴とする請求項１または２に記載したエレベータ巻上機の運搬用架台。
【請求項４】
前記巻上機を載置するマシンベッドと前記運搬用架台との間に介装される防振手段をさらに備えることを特徴とする請求項１乃至３のいずれかに記載したエレベータ巻上機の運搬用架台。
【発明の詳細な説明】
【技術分野】
【０００１】
本発明は、エレベータ巻上機の運搬用架台に関し、より詳しくは、巻上機に着脱自在に取り付けられてハンドフォークリフト等による持ち上げおよび運搬を可能とするばかりでなく、防振ゴムと組み合わせた状態でマシンベッド上にそのまま固定することも可能な運搬用架台に関する。
【背景技術】
【０００２】
図１０に示したように、エレベータの巻上機１０は、駆動モータを内蔵した本体部分１１と、駆動モータによって回転駆動されるトラクションシーブ１２とを備えている。
そして、本体部分１１の上面にはアイボルト１３が取り付けられており、この巻上機１０を製造する工場やエレベータの据付現場等において、クレーン等を用いてこの巻上機１０を容易に吊り上げて運搬できるようになっている（例えば、下記特許文献１を参照）。
【０００３】
【特許文献１】特開平１０−２１８５２８号公報
【発明の開示】
【発明が解決しようとする課題】
【０００４】
しかしながら、その本体部分１１の上面にアイボルト１３が取り付けられている従来の巻上機１０においては、吊り上げおよび運搬のたびにクレーン等を準備しなければならず、巻上機１０を容易に持ち上げて運搬することができなかった。
【０００５】
そこで本発明の目的は、上述した従来技術が有する問題点を解消し、クレーン等を用いることなく巻上機を容易に持ち上げて運搬できるようにするエレベータ巻上機の運搬用架台を提供することにある。
【課題を解決するための手段】
【０００６】
上記の課題を解決するための請求項１に記載した手段は、
エレベータの巻上機に取り付けられて前記巻上機の持ち上げおよび運搬を可能とする運搬用架台であって、
前記巻上機に着脱自在に取り付けられる基部と、
前記巻上機を載置する載置面に当接する、前記基部から延設された脚部と、を備え
前記巻上機の底面と前記載置面との間に、前記巻上機を運搬するための運搬手段の支持腕を挿通可能な隙間を形成するように構成されていることを特徴とする。
【０００７】
すなわち、請求項１に記載した運搬用架台をエレベータの巻上機に取り付けると、巻上機を載置する載置面と巻上機の底面との間に隙間が形成されてハンドフォークリフトやハンドパレット等の運搬手段の支持腕を挿入できる状態となるから、クレーン等を用いることなく巻上機を持ち上げて運搬することが可能となる。
【０００８】
また、請求項２に記載した手段は、請求項１に記載した運搬用架台が、前記基部を前記巻上機の底面に取り付けたときに前記巻上機の底面に対し前記隙間を開けて延びる、前記脚部に連設された底部をさらに備えることを特徴とする。
【０００９】
すなわち、請求項２に記載した運搬用架台をエレベータの巻上機に取り付けると、巻上機の底面と運搬用架台の底部とが隙間を開けて互いに対向する。
これにより、この隙間内に運搬手段の支持腕を挿入すると、支持腕の下方に運搬用架台の底部が位置するので、巻上機が支持腕から浮き上がって支持腕から脱落することを防止することができる。
【００１０】
また、請求項３に記載した手段は、請求項１または２に記載した運搬用架台が、隣接して配置された運搬用架台同士を連結するための連結部をさらに備えることを特徴とする。
なお、連結部は、隣接する運搬用架台同士を相互に位置決めするためのピンあるいは隣接する運搬用架台同士を一体に締結するためのボルト等を挿通する挿通孔が貫設された、前記基部あるいは前記脚部に連設されたフランジとすることができる。
【００１１】
すなわち、請求項３に記載した運搬用架台を取り付けたエレベータの巻上機を互いに隣接させて配置すると、それらの運搬用架台に設けられている連結部を介してこれらの運搬用架台を一体に連結することができる。
したがって、これらの運搬用架台の隙間内に運搬手段の支持腕を挿入することにより、複数の巻上機を一体に持ち上げて運搬することが可能となる。
【００１２】
さらに、請求項４に記載した手段は、請求項１乃至３のいずれかに記載した運搬用架台が、前記巻上機を載置するマシンベッドと前記運搬用架台との間に介装される防振手段をさらに備えることを特徴とする。
【００１３】
すなわち、請求項４に記載した運搬用架台をエレベータの巻上機に取り付けると、ハンドフォークリフトやハンドパレット等の運搬手段を用いて巻上機を容易に持ち上げて運搬できるから、マシンベッド上の所定位置への巻上機の設置を容易に行うことができる。
さらに、運搬用架台に並設された防振手段をマシンベッドに固定することにより、巻上機の設置を容易にかつ迅速に完了することができる。
【発明の効果】
【００１４】
本発明によれば、クレーン等を用いることなくエレベータの巻上機を容易に持ち上げて運搬することが可能なエレベータ巻上機の運搬用架台を提供することができる。
【発明を実施するための最良の形態】
【００１５】
以下、図１乃至図９を参照し、本発明に係るエレベータ巻上機の運搬用架台の各実施形態について詳細に説明する。
なお、以下の説明においては、前述した従来技術を含めて同一の部分に同一の符号を用いることにより重複した説明を省略する。
【００１６】
第１実施形態
まず最初に図１および図２を参照し、第１実施形態の運搬用架台について説明する。
【００１７】
この運搬用架台２０は、エレベータの巻上機１０に取り付けられて巻上機１０の持ち上げおよび運搬を可能とするためのもので、巻上機１０の底面にボルトＢによって着脱自在に取り付けられる左右一対の基部２１，２２と、これらの基部２１，２２から延設された左右一対の側壁（脚部）２３，２４と、これらの側壁２３，２４の先端同士を接続する底板（底部）２５とを備えている。
そして底板２５は、図２（ａ）に示したように巻上機１０の底面に対し上下方向に所定の間隔を開けて平行に延びており、図２（ｂ）に示したようにハンドフォークリフトやハンドパレット等の運搬手段の支持腕Ｌを挿入可能な隙間を形成している。
なお、この運搬用架台２０は、断面形状コ字形の形鋼と鋼板を用いて容易に製造することができる。
【００１８】
これにより、この運搬用架台２０を巻上機１０に取り付けると、左右一対の側壁２３，２４の下端と底板２５とが巻上機１０を載置する載置面（図示せず）に当接し、巻上機１０はこの載置面から浮き上がった状態となる。
したがって、巻上機１０の本体部分１１の上面に取り付けられているアイボルト（図示せず）１３にロープを係合させてクレーン等で吊り上げることなく、ハンドフォークリフトやハンドパレット等の運搬手段を用いて巻上機１０を容易に持ち上げて運搬することが可能となる。
【００１９】
このとき、運搬用架台２０の隙間内に運搬手段の支持腕Ｌを挿入すると、支持腕Ｌの下方に底板２５が位置しているので、運搬時の振動により巻上機１０が浮き上がって支持腕Ｌから脱落することがない。
また、支持腕Ｌの左右にそれぞれ左右一対の側壁２３，２４が位置しているので、運搬時の振動により巻上機１０が左右方向にずれて支持腕Ｌから脱落することがない。
【００２０】
第２実施形態
次に図３および図４を参照し、第２実施形態の運搬用架台について説明する。
【００２１】
図３に示したように、本第２実施形態の運搬用架台３０は、前述した第１実施形態の運搬用架台２０の左右一対の側壁２３，２４に、支持部３１を介して防振ゴム（防振手段）３２をそれぞれ取り付けた構造となっている。
【００２２】
これにより、第１実施形態の運搬用架台２０と全く同様に、ハンドフォークリフトやハンドパレット等を用いて巻上機１０を容易に持ち上げて運搬することができる。
さらに、巻上機１０を支持するマシンベッド（図示せず）上に巻上機１０および運搬用架台３０を一体に載置した後、防振ゴム３２の下端部分をマシンベッドに固定することにより、巻上機１０の設置を容易にかつ迅速に完了することができる。
【００２３】
さらに、運搬用架台３０を構成している底板２５の厚みを調整してその曲げ剛性を適切に設定し、あるいは錘を追加することにより、底板２５をダイナミックダンパとして作動させて、巻上機１０に生じる振動を効率よく減衰することもできる。
なお、各防振ゴム３２は、運搬用架台３０の底面側に設けることもできる。
【００２４】
第３実施形態
次に図５および図６を参照し、第３実施形態の運搬用架台について説明する。
【００２５】
図５に示したように、第３実施形態の運搬用架台４０は、巻上機１０の底面に密着する基板（基部）４１と、この基板４１の左右の両端部から下方に突設された左右一対の脚部４２，４３とを備えている。
そして、左右一対の脚部４２，４３は、巻上機１０を載置する載置面（図示せず）と基板４１の下面との間に上下方向に所定の寸法を有した隙間が形成されるように、その上下方向の長さが定められている。
【００２６】
これにより、この運搬用架台４０を巻上機１０に取り付けると、左右一対の脚部４２，４３が載置面に当接するので、巻上機１０は載置面から浮き上がった状態となる。
したがって、左右一対の脚部４２，４３の間の隙間にハンドフォークリフトやハンドパレット等の支持腕Ｌを挿通することにより、クレーン等を用いることなく、この巻上機１０を容易に持ち上げて運搬することが可能となる。
そして、支持腕Ｌの左右にそれぞれ左右一対の脚部４２，４３が位置しているので、運搬時の振動により巻上機１０が左右方向にずれて支持腕Ｌから脱落することがない。
【００２７】
なお、本第３実施形態においては巻上機１０と運搬用架台４０とを別々に構成しているが、一体構造とすることもできる。
【００２８】
第４実施形態
次に図７〜図９を参照し、第４実施形態の運搬用架台について説明する。
【００２９】
図７に示したように、本第４実施形態の運搬用架台５０は、第１実施形態の運搬用架台２０の左右の前側および左右の後側にそれぞれ三角形状のフランジ５１，５２を追加した構造となっている。
そして、これらのフランジ５１，５２には、それぞれ挿通孔５１ａ，５２ａがそれぞれ貫設されて、抜け止め付きのピン５３を挿通できるようになっている。
【００３０】
これにより、図９に示したように、それぞれ運搬用架台５０を取り付けた３台の巻上機１０を互いに密着させて並置した後、各運搬用架台５０の挿通孔５１ａ，５２ａにそれぞれピン５３を挿通し、３台の巻上機１０が左右方向に互いに位置ずれしないように連結する。
次いで、ハンドフォークリフトやハンドパレット等の支持腕Ｌを各運搬用架台５０の隙間内に挿通すれば、３台の巻上機１０を一体に持ち上げて運搬することができる。
【００３１】
以上、本発明に係るエレベータ巻上機の運搬用架台の各実施形態について詳しく説明したが、本発明は上述した実施形態によって限定されるものではなく、種々の変更が可能であることは言うまでもない。
例えば、上述した各実施形態の運搬用架台はいずれも左右一対の脚部を備えているが、巻上機１０の底面の四隅に設けた合計４つの脚部を備えることもできる。
【図面の簡単な説明】
【００３２】
【図１】第１実施形態の運搬用架台を巻上機に取り付けた状態で示す斜視図。
【図２】図１に示した運搬用架台の（ａ）正面図および（ｂ）側面図。
【図３】第２実施形態の運搬用架台を巻上機に取り付けた状態で示す斜視図。
【図４】図３に示した運搬用架台の（ａ）正面図および（ｂ）側面図。
【図５】第３実施形態の運搬用架台を巻上機に取り付けた状態で示す斜視図。
【図６】図５に示した運搬用架台の（ａ）正面図および（ｂ）側面図。
【図７】第４実施形態の運搬用架台を巻上機に取り付けた状態で示す斜視図。
【図８】図７に示した運搬用架台の（ａ）正面図および（ｂ）側面図。
【図９】図７に示した運搬用架台を一体に連結した状態を示す側面図。
【図１０】エレベータの巻上機を示す斜視図。
【符号の説明】
【００３３】
１０  巻上機
１１  本体部分
１２  トラクションシーブ
１３  アイボルト
２０  第１実施形態の運搬用架台
２１，２２  基部
２３，２４  側壁（脚部）
２５  底板（底部）
３０  第２実施形態の運搬用架台
３１  支持部
３２  防振ゴム（防振手段）
４０  第３実施形態の運搬用架台
４１  基板（基部）
４２，４３  脚部
５０  第４実施形態の運搬用架台
５１，５２  フランジ部
５１ａ，５２ａ  挿通孔
５３  ピン
【図１】
2009155072.tif 000003
【図２】
2009155072.tif 000004
【図３】
2009155072.tif 000005
【図４】
2009155072.tif 000006
【図５】
2009155072.tif 000007
【図６】
2009155072.tif 000008
【図７】
2009155072.tif 000009
【図８】
2009155072.tif 000010
【図９】
2009155072.tif 000011
【図１０】
2009155072.tif 000012